(57)【要約】【課題】建物の高さを極力抑えながらも上下階の双方に使い勝手のよい収納空間を備えた建物を提供する。【解決手段】１．５層分の高さでかつ内部に部屋２を有する空間構成体１を備え、この空間構成体１内には、天井高が０．９〜１．４ｍの第１収納部３が前記部屋２の床５に接するようにして設けられるとともに、天井高が０．９〜１．４ｍの第２収納部４が前記部屋２の天井６に接するようにして設けられており、第１収納部３と第２収納部４とは、平面視において重ならないように配置されている。したがって、上下に収納部３，４を備えていても、建物自体の高さを極力抑えることができ、また、そして、第１収納部３および第４収納部は部屋の床から出入りすることができるので、収納部３，４の使い勝手もよい。【選択図】図１
2006037710.tif 000002
【特許請求の範囲】
【請求項１】
１．５層分の高さでかつ内部に部屋を有する空間構成体を備え、
前記空間構成体内には、天井高が０．９〜１．４ｍの第１収納部が前記部屋の床に接するようにして設けられるとともに、天井高が０．９〜１．４ｍの第２収納部が前記部屋の天井に接するようにして設けられており、
前記第１収納部と第２収納部とは、平面視において重ならないように配置されていることを特徴とする建物。
【請求項２】
請求項１に記載の建物において、
少なくとも２層分の高さでかつ内部に各層ごとに部屋を有する第２空間構成体を備えており、
この第２空間構成体は、その所定の層の部屋と、前記空間構成体の第２収納部とが隣接するようにして、配置されていることを特徴とする建物。
【請求項３】
請求項２に記載の建物において、
前記第２収納部の床と、前記第２空間構成体の所定の層の部屋の床とは、ほぼ面一となっていることを特徴とする建物。
【請求項４】
請求項２〜３のいずれか一項に記載の建物において、
前記空間構成体上には、小屋裏収納またはルーフバルコニーのうちの少なくとも一方が設けられていることを特徴とする建物。
【請求項５】
請求項１〜３のいずれか一項に記載の建物において、
前記空間構成体上には、少なくとも１層分の高さでかつ内部に部屋を有する第３空間構成体が設けられており、前記第２空間構成体上には、前記第３空間構成体内の部屋に向けて開口する小屋裏収納が設けられていることを特徴とする建物。
【請求項６】
請求項１〜５のいずれか一項に記載の建物において、
前記空間構成体内の部屋は、前記第１および第２収納部を除いて連続していることを特徴とする建物。
【請求項７】
請求項１〜６のいずれか一項に記載の建物において、
前記第１収納部の天井床と、第２収納部の床とのうち少なくとも一方は、オーバーハングしていることを特徴とする建物。
【請求項８】
請求項１〜７のいずれか一項に記載の建物において、
前記空間構成体内の部屋には、前記第１収納部と第２収納部との間で、空間構成体の高さに相当する高さの吹抜け空間が設けられていることを特徴とする建物。
【請求項９】
請求項１〜８のいずれか一項に記載の建物において、
前記第１収納部の一部が屋外から物を出し入れ可能な開口部を有する屋外開口型収納庫となっており、この屋外開口型収納庫の床は前記部屋の床より低くなっていることを特徴とする建物。
【発明の詳細な説明】
【技術分野】
【０００１】
本発明は、建物に係り、特に中間床を設け、この中間床の下方に収納空間を設けたものに関する。
【背景技術】
【０００２】
従来より、建物の床下や天井裏を収納庫として利用するようにした建物が利用されている。このような収納庫を形成した建物とすれば、通常使用されていない天井裏や床下の空間を有効利用することが可能となり、建物内部の空間の利用率を向上することができる。
このような収納庫を備えた建物として特許文献１に記載のものが知られている。この特許文献１に記載の建物では、上下階間に収納庫を備えており、この収納庫の上面には建物の上階から出入り可能な上階用開口部が形成されているとともに、その下面には前記建物の下階から出入り可能な下階用開口部が形成され、これらの上階用開口部および下階用開口部の平面位置が互いに異なるようにしてある。
このような建物では、下階用開口部および上階用開口部の平面位置が互いに異なっているので、それぞれの開口部を利用して上階用の収納庫と下階用の収納庫との区分けが容易になるという利点がある。
【特許文献１】特開平１０−２０５１５０号公報
【発明の開示】
【発明が解決しようとする課題】
【０００３】
ところで、都市等の住宅密集地では、隣接する住宅への採光、通風をできるだけ確保できるように配慮するため、建物の高さは極力低く抑えたいという要望があるが、上記のような建物では、上下階の間に収納庫を備えているので、収納庫の高さ分、建物が高くなるという問題がある。
また、収納庫にはその上面および下面からそれぞれ出入りするようになっているので、梯子等が必要となり、使い勝手があまりよくないという問題もある。
【０００４】
本発明は上記事情に鑑みてなされたものであり、建物の高さを極力抑えながらも上下階の双方に使い勝手のよい収納空間を備えた建物を提供することを課題としている。
【課題を解決するための手段】
【０００５】
上記課題を解決するために、請求項１に記載の発明は、例えば図１に示すように、１．５層分の高さでかつ内部に部屋２を有する空間構成体１を備え、
前記空間構成体１内には、天井高が０．９〜１．４ｍの第１収納部３が前記部屋２の床５に接するようにして設けられるとともに、天井高が０．９〜１．４ｍの第２収納部４が前記部屋２の天井６に接するようにして設けられており、
前記第１収納部３と第２収納部４とは、平面視において重ならないように配置されていることを特徴とする。
【０００６】
ここで、１．５層とは、建物１階分の高さの１．５倍の高さを有する層のことを意味する。
また、空間構成体とは、上下面が天井や床等で構成され、側面が内壁や外壁等の壁で構成されたものを意味する。天井、床、壁には適宜開口部を形成してもよい。空間構成体の外形は、直方体状または立方体状に形成するのが望ましいが、これに限ることはない。例えば、平面視において、略Ｌ字状、略十字状等に形成されたものでもよく、特に平面形状はどのような形状でもよい。
また、空間構成体は現場で柱、梁、建築用木質パネル等を使用して構築してもよいし、工場等において、予め組み立てておいもよい。この場合、直方体状に鉄骨を組み立ててなす建物ユニットによって空間構成体を形成することもできる。
第１収納部は、例えば、空間構成体の床の上方に、中間床を設け、この中間床と床との間に形成される。また、第２収納部は、空間構成体の天井の下方で、かつ、前記中間床より上方に、第２中間床を設け、この第２中間床と天井との間に形成される。
【０００７】
請求項１に記載の発明によれば、１．５層分の高さの空間構成体１を備えており、この空間構成体１内には、天井高が０．９〜１．４ｍの第１収納部３と第２収納部４とが、平面視において重ならないようにして、部屋２の床５と天井６に接するようにして設けられているので、第１収納部３上および第２収納部４下の双方にそれぞれ略１層分の高さの居室空間を確保できる。したがって、このような空間構成体１を備えた建物は、上下に収納部３，４を備えていても、建物自体の高さを極力抑えることができる。そして、第１収納部３には、床５から出入りすることができ、第２収納部４には、空間構成体１に隣接する部屋９の床から出入りすることができるので、収納部３，４の使い勝手もよい。
【０００８】
請求項２に記載の発明は、請求項１に記載の建物において、
少なくとも２層分の高さでかつ内部に各層ごとに部屋８，９を有する第２空間構成体７を備えており、
この第２空間構成体７は、その所定の層の部屋９と、前記空間構成体１の第２収納部４とが隣接するようにして、配置されていることを特徴とする。
【０００９】
ここで、「所定の層の部屋」とは、通常の居室等は勿論のこと、台所、階段室、玄関等も含む。
また、第２空間構成体の所定の層の部屋と、第２収納部とを隣接する場合、それらの床をほぼ面一にするのが望ましいが、ある程度の段差をもたせてもよい。
【００１０】
請求項２に記載の発明によれば、第２空間構成体７が、その所定の層の部屋９と、前記空間構成体１の第２収納部４とが隣接するようにして、配置されているので、第２空間構成体７の所定の層の部屋９から第２収納部４に容易に出入りすることができる。
【００１１】
請求項３に記載の発明は、請求項２に記載の建物において、
前記第２収納部４の床と、前記第２空間構成体７の所定の層の部屋９の床とは、ほぼ面一となっていることを特徴とする。
【００１２】
請求項３に記載の発明によれば、第２収納部４の床と、第２空間構成体７の所定の層の部屋９の床とがほぼ面一となっているので、第２空間構成体７の所定の層の部屋９から第２収納部４に平行移動によって容易に出入りすることができる。
【００１３】
請求項４に記載の発明は、例えば図１２に示すように、請求項２〜３のいずれか一項に記載の建物において、
前記空間構成体１上には、小屋裏収納４２またはルーフバルコニー４３のうちの少なくとも一方が設けられていることを特徴とする。
【００１４】
請求項４に記載の発明によれば、第２空間構成体７より空間構成体１が低いので、この低い空間構成体１上に、小屋裏収納４２またはルーフバルコニー４３のうちの少なくとも一方が設けられていることによって、空間構成体１上を有効に利用できる。
また、この空間構成体１上の屋根４４を、第２空間構成体７上の屋根４５より低くできるので、斜線規制等に有効に対応できる。
【００１５】
請求項５に記載の発明は、例えば図１に示すように、請求項１〜３のいずれか一項に記載の建物において、
前記空間構成体１上には、少なくとも１層分の高さでかつ内部に部屋１１を有する第３空間構成体１０が設けられており、前記第２空間構成体７上には、前記第３空間構成体３内の部屋１１に向けて開口する小屋裏収納１２が設けられていることを特徴とする。
【００１６】
請求項５に記載の発明によれば、第２空間構成体７上に設けられた小屋裏収納１２を、第３空間構成体１０の部屋１１から使用できるので、つまり、小屋裏収納１２を第２空間構成体７内の部屋９より高い位置にある第３空間構成体１０の部屋１１から使用できるので、小屋裏収納１２を梯子等を用いなくても使用でき、使い勝手がよくなる。
【００１７】
請求項６に記載の発明は、請求項１〜５のいずれか一項に記載の建物において、
前記空間構成体１内の部屋２は、前記第１および第２収納部３，４を除いて連続していることを特徴とする。
【００１８】
請求項６に記載の発明によれば、空間構成体１内の部屋２は、前記第１および第２収納部３，４を除いて連続しているので、この部屋２に空間的な拡がりを持たせることができる。つまり、第１収納部３上の居室と、第２収納部４下の居室等は床に段差があり、天井の位置にも段差があるが、空間的に連続しているので、空間的な拡がりを持たせることができる。
【００１９】
請求項７に記載の発明は、例えば図１および図２に示すように、請求項１〜６のいずれか一項に記載の建物において、
前記第１収納部３の天井床１５と、第２収納部４の床３０とのうち少なくとも一方は、オーバーハングしていることを特徴とする。
【００２０】
ここで、第１収納部の天井床とは、第１収納部の天井を構成する床のことであり、この床上には居室等が設けられる。第１収納部の天井高は０．９〜１．４ｍであり、空間構成体１の高さは１．５層分あるので、天井床上に設けられる居室は十分な天井高を確保することができる。
【００２１】
請求項７に記載の発明によれば、第１収納部３の天井床１５がオーバーハングしていることによって、その下方を収納として利用できる。また、第２収納部４の床３０がオーバーハングしていることによって、その上方を収納として利用できる。
また、第１収納部１５の天井床１５および第２収納部４の床３０がオーバーハングしていることによって、天井床１５と床３０とが平面視において近づくことになる。したがって、天井床１５上の居室（居間２６）から第２収納部４のオーバーハングしている床３０ａ上を収納として使用することができる、
【００２２】
請求項８に記載の発明は、図１および図２に示すように、請求項１〜７のいずれか一項に記載の建物において、
前記空間構成体１内の部屋２には、前記第１収納部３と第２収納部４との間で、空間構成体１の高さに相当する高さの吹抜け空間Ｋが設けられていることを特徴とする。
【００２３】
請求項８に記載の発明によれば、空間構成体１内に第１収納部３および第２収納部４があっても、上下方向に空間の拡がりを確保できる。したがって、第２収納部４下にある居室と第１収納部３上にある居室等とを空間的に連続させることができ、これらの間で、採光や通風も確保できる。
【００２４】
請求項９に記載の発明は、例えば図１９および図２０に示すように、請求項１〜８のいずれか一項に記載の建物において、
前記第１収納部３の一部が屋外から物を出し入れ可能な開口部９０ａを有する屋外開口型収納庫９０となっており、この屋外開口型収納庫９０の床９０ｂは前記部屋２の床より低くなっていることを特徴とする。
【００２５】
第１収納部３の一部である屋外開口型収納庫９０は、第１収納部３の他部（屋内開口型収納庫９２）と壁９１によって仕切ってもよいし、仕切らなくてもよい。壁９１によって仕切る場合、この壁９１に出入口を設けるのが望ましい。また、屋外開口型収納庫９０は、土間床収納庫として利用してもよいし、自動車を収納する車庫として利用してもよい。
【００２６】
請求項９に記載の発明によれば、第１収納部３の一部が屋外から物を出し入れ可能な開口部９０ａを有する屋外開口型収納庫９０となっているので、敷地が狭い場合でも、屋外から物を出し入れできる収納庫を容易に設けることができる。
また、屋外開口型収納庫９０の床９０ｂは部屋２の床より低いので、屋外開口型収納庫９０の天井高を第１収納部３の他部（屋内開口型収納庫９２）より高くできる。したがって、屋外開口型収納庫９０の容積を大きくすることができ、また例えば屋外開口型収納庫９０を車庫とした場合に、自動車等を収納する高さを十分に確保できるとともに、車庫への自動車の出し入れが容易である。
【発明の効果】
【００２７】
本発明によれば、請求項１に記載の発明は、１．５層分の高さでかつ内部に部屋を有する空間構成体を備え、
前記空間構成体内には、天井高が０．９〜１．４ｍの第１収納部が前記部屋の床に接するようにして設けられるとともに、天井高が０．９〜１．４ｍの第２収納部が前記部屋の天井に接するようにして設けられており、
前記第１収納部と第２収納部とは、平面視において重ならないように配置されていることを特徴とする。
【００２８】
ここで、１．５層とは、建物１階分の高さの１．５倍の高さを有する層のことを意味する。
また、空間構成体とは、上下面が天井や床等で構成され、側面が内壁や外壁等の壁で構成されたものを意味する。天井、床、壁には適宜開口部を形成してもよい。空間構成体の外形は、直方体状または立方体状に形成するのが望ましいが、これに限ることはない。
第１収納部は、例えば、空間構成体の床の上方に、中間床を設け、この中間床と床との間に形成される。また、第２収納部は、空間構成体の天井の下方で、かつ、前記中間床より上方に、第２中間床を設け、この第２中間床と天井との間に形成される。
【００２９】
請求項１に記載の発明によれば、１．５層分の高さの空間構成体を備えており、この空間構成体内には、天井高が０．９〜１．４ｍの第１収納部が前記部屋の床に接するようにして設けられるとともに、天井高が０．９〜１．４ｍの第２収納部が前記部屋の天井に接するようにして設けられており、第１収納部と第２収納部とは、平面視において重ならないように配置されているので、第１収納部上および第２収納部下の双方にそれぞれ略１層分の高さの居室空間を確保できる。したがって、このような空間構成体を備えた建物は、上下に収納部を備えていても、建物自体の高さを極力抑えることができる。そして、第１収納部には、床から出入りすることができ、第２収納部には、空間構成体に隣接する部屋の床から出入りすることができるので、収納部の使い勝手もよい。
【発明を実施するための最良の形態】
【００３０】
以下、図面を参照して本発明に係る建物の実施の形態について説明する。
まず、本発明に係る建物の詳細を説明する前に、図１を参照して建物の概略構成を説明する。
図１は本発明に係る建物の概略構成を示す斜視図である。この図に示す建物は空間構成体１を備えている。この空間構成体１は略直方体状に形成されており、その内部には部屋２を有している。空間構成体１は１．５層分の高さを有しており、その内部には第１収納部３と第２収納部４とが設けられている。
【００３１】
前記第１収納部３は、天井高が０．９〜１．４ｍ程度であり、部屋２の床５に接するようにして設けられている。また、第２収納部４は、天井高が０．９〜１．４ｍ程度であり、部屋２の天井６に接するようにして設けられている。
また、第１収納部３および第２収納部４はそれぞれ直方体状に形成されており、内部が空間となっている。さらに、第１収納部３と第２収納部４とは、平面視において重ならないようにして配置されている。つまり、第１収納部３と第２収納部４とは、空間構成体１の対角方向に離間して配置されており、平面視において対向する側面間には所定の隙間が設けられている。
空間構成体内１の部屋２は、第１収納部３および第２収納部４を除いて連続している。すなわち、部屋２は第１収納部３上の空間から第２収納部４下の空間まで斜めに連続している。また、前記部屋２には、第１収納部３と第２収納部４との間で、空間構成体１の高さに相当する高さの吹抜け空間Ｋが設けられている。
【００３２】
また、建物は第２空間構成体７を備えている。この第２空間構成体７は略直方体状に形成されており、２層分の高さを有している。また、第２空間構成体７の内部には、各層ごとに部屋８，９がそれぞれ設けられている。この第２空間構成体７は、その第２層の部屋９と前記空間構成体１の第２収納部４とが隣接するようにして、前記空間構成体１に当接配置されている。
また、前記第２収納部４の床と、前記部屋９の床とは段差がなくほぼ面一となっている。
【００３３】
また、前記空間構成体１上には、第３空間構成体１０が設けられている。この第３空間構成体１０は略直方体状に形成されており、１層分の高さを有している。この第３空間構成体１０内には、部屋１１が設けられている。また、前記第２空間構成体４上には、部屋１１に向けて開口する小屋裏収納１２が設けられている。
なお、前記空間構成体１、第２空間構成体７、第３空間構成体１０は、上下面が天井や床等で構成され、側面が内壁や外壁等の壁で構成されており、天井、床、壁には適宜開口部が形成されている。
【００３４】
次に、本発明に係る建物の詳細について説明する。
本実施の形態の建物は、２階建ての建物であり、例えば周知のパネル工法によって構築されている。なお、建物は２階建てではあるが、２．５層分の高さを有している。
図２、図３、図５、図９および図１０に示すように、１階の床５の上方には中間床（天井床）１５が設けられており、この中間床１５と床５との間が前記第１収納部３とされている。中間床１５は建物の西側の外壁に沿って設けられており、平面視において略長方形状に形成されている。第１収納部３と食堂１６とを仕切る仕切壁１７は、第１収納部３側に奥まって設けられており、これによって、中間床１５は食堂１６側にオーバーハングしている。そして、このオーバーハングした中間床１５の下方は、食堂１６側に開口する補助収納部３ａ，３ａとされている。また、仕切壁１７には、第１収納部３内に出入りするための出入口１８が形成されており、この出入口１８は戸によって開閉できるようになっている。
【００３５】
また、第１収納部３内には仕切壁１９が設けられており、これによって第１収納部３内が２分割されている。なお、仕切壁１８には開口部が形成されており、この開口部によって２分割された第１収納部３内を行き来できるようになっている。
さらに、第１収納部３と外部を仕切る仕切壁（外壁）２０は、第１収納部３側に奥まって設けられており、これによって、中間床１５は外部にオーバーハングしており、このオーバーハングした中間床１５の下方は、外部に開口する補助収納部３ｂとされている。この補助収納部３ｂは戸によって開閉できるようになっている。
【００３６】
また、食堂１６の北側には台所２１が設けられており、この台所２１の北側に玄関２２が設けられている。玄関２１に西側には浴室２３とトイレ２４が設けられており、これらの南側に洗面室２５が設けられている。食堂１６、台所２１、玄関２２のホール、浴室２３、トイレ２４、洗面室２５のそれぞれの床面はほぼ面一となっている。
【００３７】
前記中間床１５上には、図２、図３、図６、図９、図１０および図１１に示すように、居間２６が設けられている。この居間２６は平面視において中間床１５のほぼ全面上に設けられており、その南側には、バルコニー２７が設けられている。このバルコニー２７の床面と居間２６の床面とはほぼ面一となっている。中間床１５の、食堂１６側に位置する縁部には、手摺２９が設けられている。中間床１５と１階の床との間には階段２８が設けられており、この階段２８は平面視において前記第１収納部３と浴室２５との間に配置されている。そして、この階段２８の階段下空間と前記第１収納部３とは連通している。
【００３８】
前記建物の２階においては、図２、図４および図７に示すように、前記第２収納部４が前記食堂１６の上方に設けられている。この第２収納部４は、建物の２階の床３０と、その上方に設けられた第２中間床３１との間に設けられている。２階の床３０上には、第２収納部４と隣接して部屋９が設けられており、この部屋９と第２収納部４とを仕切る仕切壁３２に出入口３３が形成され、この出入口３３によって第２収納部４に部屋９から出入りできるようになっている。
第２収納部４と食堂１６上の空間とを仕切る仕切壁３４の一部は、第２収納部４側に奥まって設けられており、これによって、第２収納部４の床３０ａは食堂１６上の空間側にオーバーハングしている。そして、このオーバーハングした床３０ａの上方は、食堂１６の上方空間側に開口する補助収納部４ａとされている。
また、第２収納部４と第１収納部３との間には、１階の床５から第２中間床３１の下面まで吹き抜ける前記吹抜け空間Ｋが設けられている。したがって、前記補助収納部４ａには、例えば大画面テレビやスクリーン等を設置することによって、前記居間２６から吹抜け空間Ｋを通して大画面テレビやスクリーン等見ることができるようになっている。
また、補助収納部４ａは、中間床１５より若干上方に位置しているので、この補助収納部４ａを、中間床１５上の居間２６から使用することもできる。
【００３９】
また、前記中間床１５と２階の床３０との間には階段３４が設けられており、この階段３４には、踊り場３４ａを解して階段３５が接続されている。階段３５は踊り場３４ａと前記第２中間床３１との間に設けられている。踊り場３４ａは２階の床３０と等しい高さに設けられており、この踊り場３４ａの北側にトイレ３６が設けられている。
【００４０】
第２中間床３１上には、図２、図３、図４、図８、図１０および図１１に示すように、前記部屋１１，１１が設けられており、この部屋１１，１１を仕切る壁は平面視において略Ｓ字状に配置されており、その凹所がそれぞれ収納１１ａ，１１ａとされている。また、２階の天井裏には前記部屋９の上方において前記小屋裏収納１２が設けられており、この小屋裏収納１２は東側に位置する部屋１１に向けて開口している。つまり、部屋１１は２階の床３より高い位置にある第２中間床３１上に設けられているので、この部屋１１の上部は小屋裏空間に突出している。したがって、前記小屋裏収納１２を部屋１１に向けて横方向に開口できるのである。
【００４１】
ここで、図１に示した空間構成体１は、１．５層分の高さを有しているので、図２〜図３においては、１階の床５から２階の中間部にある第２中間床３１までの高さを有し、平面的に居間２６と食堂１６とを加えた広さの略直方体状のものとなる。
したがって、この空間構成体１内には、第１収納部３、第２収納部４、居間２６、食堂１６が設けられている。そして、図１で示した部屋２は、食堂１６とこれより０．５層分高い位置にある居間２６とで構成されている。そして、この居間２６と食堂１６とが連続している。つまり、空間構成体１内の部屋２は、第１収納部３および第２収納部４を除いて連続している。したがって、この部屋２に空間的な拡がりを持たせることができる。つまり、第１収納部３上の居間２６と、第２収納部４下の食堂１６は床に段差があり、天井の位置にも段差があるが、空間的に連続しているので、空間的な拡がりを持たせることができる。
【００４２】
また、図５〜図７に示すように、空間構成体１内の部屋２は、前記第１収納部３と第２収納部４との間で、空間構成体１の高さに相当する高さの吹抜け空間Ｋが設けられているので、空間構成体内に第１収納部３および第２収納部４があっても、上下方向に空間の拡がりを確保できる。したがって、第２収納部４下にある食堂１６と第１収納部３上にある居間２６との間で、採光や通風を確保できる。
【００４３】
また、図１に示した第２空間構成体７は、２層分の高さを有しているので、図２〜図３においては、１階の床５から２階の天井４０までの高さを有し、平面的に台所２１、玄関２２、浴室２３、トイレ２４、洗面室２５を加えた広さの略直方体状のものとなる。したがって、この第２空間構成体７内には、１階においては、台所２１、玄関２２、浴室２３、トイレ２４、洗面室２５が設けられており、２階においては、部屋９、トイレ３６、階段３４，３５を有する階段室が設けられている。
【００４４】
このような第２空間構成体７は、その第２層、つまり２階の部屋９と空間構成体１の第２収納部４とが隣接するようにして、空間構成体１に当接配置されている。そして、１．５層分の高さを有する空間構成体１内には、天井高が０．９〜１．４ｍの第１収納部３が部屋２の床５に接するようにして設けられるとともに、天井高が０．９〜１．４ｍの第２収納部４が部屋２の天井に接するようにして設けられており、第１収納部３と第２収納部４とは、平面視において重ならないように配置されているので、第１収納部３上および第２収納部４下の双方にそれぞれ略１層分の高さの居室空間（居間２６、食堂１６）を確保できる。したがって、このような空間構成体１および第２空間構成体７を備えた建物は、上下に収納部３，４を備えていても、建物自体の高さを極力抑えることができる。そして、第１収納部３には、１階の床５から出入りすることができ、第２収納部４には、空間構成体１に隣接する部屋９、つまり、第２空間構成体７の２階の部屋９の床から出入りすることができるので、収納部３，４の使い勝手もよい。さらに、第２収納部４の床と、第２空間構成体７の部屋９の床とがほぼ面一となっているので、この部屋９から第２収納部４に平行移動によって容易に出入りすることができる。
【００４５】
また、図１に示した第３空間構成体１０は、１層分の高さを有しているので、図２〜図３においては、第２中間床３１からその上の天井４１までの高さを有し、平面的に部屋１１，１１と階段３５の上側にあるホール３５ａを加えた広さの略直方体状のものとなる。そして、第３空間構成体１０内の部屋１１はその上部が第２空間構成体７の２階の天井４０より高くなる。したがって、第２空間構成体７上に、第３空間構成体１０内の部屋１１に向けて開口する小屋裏収納１２を設けることによって、この小屋裏収納１２を、第３空間構成体１０の部屋１１から使用できるので、つまり、小屋裏収納１２を第２空間構成体７内の部屋９より高い位置にある第３空間構成体１０の部屋１１から使用できるので、小屋裏収納１２を梯子等を用いなくても使用でき、使い勝手がよくなる。
【００４６】
なお、本実施の形態では、空間構成体１上に第３空間構成体１０を設けたが、これを設けることなく、例えば図１２に示すように、空間構成体１上に小屋裏収納４２またはルーフバルコニー４３を設けてもよい。つまり、第２空間構成体７より空間構成体１が低いので、この低い空間構成体１上に、小屋裏収納４２やルーフバルコニー４３を設けることによって、空間構成体１上を有効に利用できる。
また、この空間構成体１上の屋根４４を、第２空間構成体７上の屋根４５より低くできるので、斜線規制等に有効に対応できる。
さらに、前記空間構成体１には、その高さ分の吹抜け空間Ｋがあるので、例えば図１１に示すように、この吹抜け空間Ｋの上方に位置する第２中間床３１の一部に開口を形成し、この開口の直上に位置する屋根に天窓を設け、この天窓と開口とを筒体Ｔによって連結することによって、空間構成体１内に上方から採光や通風を確保することもできる。
【００４７】
図１３および図１４は本発明に係る建物の他の例を示すものであり、図１３は建物の概略構成を示す斜視図、図１４は建物の概略分解斜視図である。
これらの図に示す建物は空間構成体５１を備えている。この空間構成体５１は平面視略Ｌ字状をなす箱状に形成されており、その内部には部屋５２を有している。空間構成体５１は１．５層分の高さを有しており、その内部には第１収納部５３と第２収納部５４とが設けられている。
【００４８】
前記第１収納部５３は、天井高が０．９〜１．４ｍ程度であり、部屋５２の床５５に接するようにして設けられている。また、第２収納部５４は、天井高が０．９〜１．４ｍ程度であり、部屋５２の天井５６に接するようにして設けられている。
また、第１収納部５３および第２収納部５４はそれぞれ直方体状に形成されており、内部が空間となっている。さらに、第１収納部５３と第２収納部５４とは、平面視において重ならないようにして配置されている。つまり、第１収納部５３は平面視においてＬ字状の一片部に位置しており、第２収納部５３は平面視においてＬ字状の他片部に位置している。
また、空間構成体内５１の部屋５２は、第１収納部５３および第２収納部５４を除いて連続している。すなわち、部屋５２は第１収納部５３上の空間から第２収納部５４下の空間まで斜めに連続している。また、前記部屋５２には、第１収納部５３と第２収納部５４との間で、空間構成体５１の高さに相当する高さの吹抜け空間Ｋが設けられている。
【００４９】
また、建物は第２空間構成体５７を備えている。この第２空間構成体５７は平面視略Ｌ状をなす箱状に形成されており、２層分の高さを有している。また、第２空間構成体５７の内部には、各層ごとに部屋５８，５９がそれぞれ設けられている。この第２空間構成体５７は、その第２層の部屋５９と前記空間構成体５１の第２収納部５４とが隣接するようにして、前記空間構成体５１に当接配置されている。
また、前記第２収納部５４の床と、前記部屋５９の床とは段差がなくほぼ面一となっている。
【００５０】
また、前記空間構成体５１上には、第３空間構成体６０が設けられている。この第３空間構成体６０は凹字状をなす箱状に形成されており、１層分の高さを有している。この第３空間構成体６０内には、部屋６１ａ，６１ｂ，６１ｃが設けられている。また、前記第２空間構成体５４上には、部屋５１に向けて開口する小屋裏収納６２が設けられている。
なお、前記空間構成体５１、第２空間構成体５７、第３空間構成体６０は、上下面が天井や床等で構成され、側面が内壁や外壁等の壁で構成されており、天井、床、壁には適宜開口部が形成されている。
【００５１】
次に、前記建物の詳細について説明する。
本実施の形態の建物は、２階建ての建物であり、例えば周知のパネル工法によって構築されている。なお、建物は２階建てではあるが、２．５層分の高さを有している。
図１３〜図１５に示すように、１階の床５５の上方には中間床（天井床）６５が設けられており、この中間床６５と床５５との間が前記第１収納部５３とされている。中間床６５は建物の南側の外壁に沿って設けられており、平面視において略長方形状に形成されている。また、第１収納部５３と居間６６とを仕切る仕切壁６７には、第１収納部５３内に出入りするための出入口６８が形成されており、この出入口６８は戸によって開閉できるようになっている。
また、居間６６の北側には食堂６９が設けられており、この食堂６９の北側に台所７０が設けられている。この台所７０の東側に玄関７１が設けられており、玄関７１の東側に、トイレ７２、浴室７３、洗面室７４が設けられている。食堂６９、台所７０、玄関７１のホール、浴室７３、トイレ７２、洗面室７４のそれぞれの床面はほぼ面一となっている。
【００５２】
前記中間床６５上には、図１３、図１４、図１６に示すように、居間７６が設けられている。この居間７６は平面視において中間床６５のほぼ全面上に設けられており、中間床６５の一部は、中間床６５と１階の床５５との間に設けられた階段７７の踊り場７７ａとなっている。階段７７は第１収納部５３と居間６６とを仕切る仕切壁に沿って配置されている。
【００５３】
前記建物の２階においては、図１３、図１４、図１７に示すように、前記第２収納部５４が前記食堂６９および台所７０の上方に設けられている。この第２収納部５４は、建物の２階の床８０と、その上方に設けられた第２中間床８１との間に設けられている。２階の床８０上には、第２収納部５４と隣接して部屋５９が設けられており、この部屋５９と第２収納部５４とを仕切る仕切壁８２に出入口８３が形成され、この出入口８３によって第２収納部５４に部屋５９から出入りできるようになっている。
また、第２収納部５４と第１収納部５３との間には、１階の床５５から第２中間床８１の下面まで吹き抜ける前記吹抜け空間Ｋが設けられている。
【００５４】
また、前記中間床６５に設けられた踊り場７７ａと２階の床８０との間には階段８４が設けられており、この階段８４には、踊り場８４ａを解して階段８５が接続されている。階段８５は踊り場８４ａと前記第２中間床８１との間に設けられている。踊り場３４ａは、２階の部屋５９の一部を構成しており、２階の床８０と等しい高さとなっている。
【００５５】
第２中間床８１上には、図１３、図１４、図１８に示すように、前記部屋６１ａ，６１ｂ，６１ｃが設けられており、これら部屋６１ａ，６１ｂ，６１ｃの交差部に踊り場８５ａが設けられており、この踊り場８５ａに前記階段８５が接続されている。また、階段８５，８４が設けられる階段室の１階部分には、図１５に示すように、階段下収納８６が前記第１収納部５３と仕切壁８７を隣接して設けられている。この仕切壁８７には、階段下収納８６と第１収納部５３とを連通する開口部を形成してもよい。
また、２階の天井裏には前記部屋５９の上方において前記小屋裏収納６２が設けられており、この小屋裏収納６２は部屋６１ｃに向けて開口している。つまり、部屋６１ｃは２階の床８０より高い位置にある第２中間床８１上に設けられているので、この部屋６１ｃの上部は小屋裏空間に突出している。したがって、前記小屋裏収納６２を部屋６１ｃに向けて横方向に開口できるのである。
【００５６】
ここで、図１３および図１４に示した空間構成体５１は、１．５層分の高さを有しているので、１階の床５５から２階の中間部にある第２中間床８１までの高さを有し、平面的に居間７６，６６、食堂６９、台所７０を加えた広さの平面視略Ｌ字状をなす箱状のものとなる。
したがって、この空間構成体５１内には、第１収納部５３、第２収納部５４、居間７６，６６、食堂６９、台所７０が設けられている。そして、図１３および図１４で示した部屋５２は、居間６６、食堂６９、台所７０と、これより０．５層分高い位置にある居間７６とで構成されている。そして、この居間７６と、居間６６、食堂６９、台所７０とが連続している。つまり、空間構成体５１内の部屋５２は、第１収納部５３および第２収納部５４を除いて連続している。したがって、この部屋５２に空間的な拡がりを持たせることができる。つまり、第１収納部５３上の居間７６と、第２収納部５４下の食堂６９、台所７０は床に段差があり、天井の位置にも段差があるが、空間的に連続しているので、空間的な拡がりを持たせることができる。
【００５７】
また、空間構成体５１内の部屋５２は、前記第１収納部５３と第２収納部５４との間で、空間構成体５１の高さに相当する高さの吹抜け空間Ｋが設けられているので、空間構成体５１内に第１収納部５３および第２収納部５４があっても、上下方向に空間の拡がりを確保できる。したがって、第２収納部５４下にある食堂６９と第１収納部５３上にある居間７６との間で、採光や通風を確保できる。
【００５８】
また、第２空間構成体７内には、１階においては、玄関７１、浴室７３、トイレ７２、洗面室７４が設けられており、２階においては、部屋５９が設けられている。
このような第２空間構成体５７は、その第２層、つまり２階の部屋５９と空間構成体５１の第２収納部５４とが隣接するようにして、空間構成体５１に当接配置されている。そして、１．５層分の高さを有する空間構成体５１内には、天井高が０．９〜１．４ｍの第１収納部５３が部屋５２の床５５に接するようにして設けられるとともに、天井高が０．９〜１．４ｍの第２収納部５４が部屋５２の天井に接するようにして設けられており、第１収納部５３と第２収納部５４とは、平面視において重ならないように配置されているので、第１収納部５３上および第２収納部５４下の双方にそれぞれ略１層分の高さの居室空間（居間７６、食堂６９および台所７０）を確保できる。
したがって、このような空間構成体５１および第２空間構成体５７を備えた建物は、上下に収納部５３，５４を備えていても、建物自体の高さを極力抑えることができる。そして、第１収納部５３には、１階の床５５から出入りすることができ、第２収納部５４には、空間構成体５１に隣接する部屋５９、つまり、第２空間構成体５７の２階の部屋５９の床から出入りすることができるので、収納部５３，５４の使い勝手もよい。さらに、第２収納部５４の床と、第２空間構成体５７の部屋５９の床とがほぼ面一となっているので、この部屋５９から第２収納部５４に平行移動によって容易に出入りすることができる。
【００５９】
また、第３空間構成体６０内の部屋６１ａ〜６１ｃはその上部が第２空間構成体５７の２階の天井より高くなる。したがって、第２空間構成体５７上に、第３空間構成体６０内の部屋６１ｃに向けて開口する小屋裏収納６２を設けることによって、この小屋裏収納６２を、第３空間構成体６０の部屋６１ｃから使用できるので、つまり、小屋裏収納６２を第２空間構成体５７内の部屋５９より高い位置にある第３空間構成体６０の部屋６１ｃから使用できるので、小屋裏収納６２を梯子等を用いなくても使用でき、使い勝手がよくなる。
【００６０】
図１９は本発明に係る建物の他の実施の形態を示すもので、建物の概略構成を示す斜視図である。本実施の形態の建物が前記図１〜図１１に示した実施の形態の建物と異なる点は、建物に車庫を設けた点であるので以下ではこの点について説明する。なお、図１〜図１１に示した建物と共通部分には同一符号を付してその説明を省略または簡略化する。
【００６１】
図１９に示す建物の空間構成体１は１．５層分の高さを有しており、その内部には第１収納部３と第２収納部４とが設けられている。
前記第１収納部３は、天井高が０．９〜１．４ｍ程度であり、部屋２の床５に接するようにして設けられている。また、第２収納部４は、天井高が０．９〜１．４ｍ程度であり、部屋２の天井６に接するようにして設けられている。
また、第１収納部３と第２収納部４とは、平面視において重ならないようにして配置されている。
空間構成体内１の部屋２は、第１収納部３および第２収納部４を除いて連続している。すなわち、部屋２は第１収納部３上の空間から第２収納部４下の空間まで斜めに連続している。また、前記部屋２には、第１収納部３と第２収納部４との間で、空間構成体１の高さに相当する高さの吹抜け空間Ｋが設けられている。
【００６２】
また、建物の第２空間構成体７は２層分の高さを有している。また、第２空間構成体７の内部には、各層ごとに部屋８，９がそれぞれ設けられている。この第２空間構成体７は、その第２層の部屋９と前記空間構成体１の第２収納部４とが隣接するようにして、前記空間構成体１に当接配置されている。
また、前記第２収納部４の床と、前記部屋９の床とは段差がなくほぼ面一となっている。
前記空間構成体１上には、第３空間構成体１０が設けられている。この第３空間構成体１０は１層分の高さを有している。この第３空間構成体１０内には、部屋１１が設けられている。また、前記第２空間構成体４上には、部屋１１に向けて開口する小屋裏収納１２が設けられている。
【００６３】
また、前記第１収納部３の一部は、図１９および図２０に示すように、屋外から物を出し入れ可能な開口部９０ａを有する屋外開口型収納庫９０となっている。すなわち、第１収納部３は、壁９１によって前後に分割されており、その一部（図１９において前側）が屋外開口型収納庫９０となっており、他部（後側）が屋内開口型収納庫９２となっている。壁９１には、図示は省略するが屋内開口型収納庫９０と屋内開口型収納庫９２とを行き来する際に使用される開口部が形成されるとともに、この開口部を開閉するドア９１ａが設けられている。また、屋内開口型収納庫９２には、１階の部屋２から出入りできるような出入口が設けられている。なお、前記壁９１を設けずに、屋外開口型収納庫９０と屋内開口型収納庫９２とを連通してもよい。
【００６４】
また屋外開口型収納庫９０の床９０ｂは屋内開口型収納庫９２の床より１段低くなっている。すなわち、屋内開口型収納庫９２の床は基礎上に設置された床であるが、屋外開口型収納庫９０の床９０ｂは基礎の内側に設けられた土間床であり、コンクリート等によって形成されている。また、屋外開口型収納庫９０は建物の外壁に形成された開口部９０ａによって建物の外部と連通しており、この開口部９０ａから物を屋外開口型収納庫９０に出し入れするようになっている。また、開口部９０ａには、これを開閉する戸（図示略）が設けられ、さらに、屋外開口型収納庫９０の開口部９０ａ上には、庇９３が設けられている。この庇９３は、図２０に示すように、中間床１５を屋外に張り出して形成されたものであり、屋外に張り出されている中間床１５上は、バルコニー９４となっている。
なお、庇９３を中間床１５で構成せずに、板状のパネルで構成し、その基端部を軸として上下に回動自在に構成し、庇９３を下方に回動させて前記開口部９０ａを塞ぐ戸としてもよい。また、このような屋外開口型収納庫９０は、土間床収納庫として利用してもよいし、自動車を収納する車庫として利用してもよい。
【００６５】
本実施の形態の形態によれば、図１〜図１１に示した実施の形態と同様の効果を得るこことができるのは勿論のこと、以下のような効果も得られる。
すなわち、第１収納部３の一部が屋外から物を出し入れ可能な開口部９０ａを有する屋外開口型収納庫９０となっているので、敷地が狭い場合でも、屋外から物を出し入れできる収納庫を容易に設けることができる。また、屋外から屋外開口型収納庫９０を通って、屋内開口型収納庫９２に物を容易に出し入れできる。
また、屋外開口型収納庫９０の床は部屋２の床より低いので、屋外開口型収納庫９０の天井高を第１収納部３の他部（屋内開口型収納庫９２）より高くできる。したがって、屋外開口型収納庫９０の容積を大きくすることができ、また、例えば屋外開口型収納庫９０を車庫とした場合に、自動車等を収納する高さを十分に確保できるとともに、車庫への自動車の出し入れが容易である。
さらに、屋外開口型収納庫９０と屋内開口型収納庫９２とを仕切る壁９１には開口部が形成されているので、屋外開口型収納庫９０と屋内開口型収納庫９２との間で荷物を出し入れすることができる。
加えて、屋外開口型収納庫９０の開口部９０ａに庇９３を設けたので、屋外開口型収納庫９０を車庫として利用し、自動車の先端部が開口部９０ａからはみ出る場合、つまり、自動車を納める空間として若干不足している場合に、これを補うことができる。
【図面の簡単な説明】
【００６６】
【図１】本発明に係る建物の実施の形態を示すもので、建物の概略構成を示す斜視図である。
【図２】同、建物の縦断面図である。
【図３】同、図２におけるＡ−Ａ線断面図である。
【図４】同、図２におけるＢ−Ｂ線断面図である。
【図５】同、建物の１階の、中間床より下の平面図である。
【図６】同、建物の１階の、中間床より上の平面図である。
【図７】同、建物の２階の、第２中間床より下の平面図である。
【図８】同、建物の２階の、第２中間床より上の平面図である。
【図９】同、建物内部を東南方向から見上げた斜視図である。
【図１０】同、建物内部を東南方向から見下げた斜視図である。
【図１１】同、建物内部を斜め上方から見た斜視図である。
【図１２】本発明に係る建物のその例を示すもので、建物の概略構成を示す斜視図である。
【図１３】本発明に係る建物の他の例を示すもので、建物の概略構成を示す斜視図である。
【図１４】同、建物の概略分解斜視図である。
【図１５】同、建物の１階の、中間床より下の平面図である。
【図１６】同、建物の１階の、中間床より上の平面図である。
【図１７】同、建物の２階の、第２中間床より下の平面図である。
【図１８】同、建物の２階の、第２中間床より上の平面図である。
【図１９】本発明に係る建物の他の実施の形態を示すもので、建物の概略構成を示す斜視図である。
【図２０】同、屋外開口型収納庫を示す斜視図である。
【符号の説明】
【００６７】
１，５１  空間構成体
２，５２  部屋
３，５３  第１収納部
４，５４  第２収納部
７，５７  第２空間構成体
１０，６０  第３空間構成体
１２，６２  小屋裏収納
１５，６５  中間床（第１収納部の天井床）
３１，８１  第２中間床
４２  小屋裏収納
４３  ルーフバルコニー
９０  屋外開口型収納庫
９２  屋内開口型収納庫
【図１】
2006037710.tif 000003
【図２】
2006037710.tif 000004
【図３】
2006037710.tif 000005
【図４】
2006037710.tif 000006
【図５】
2006037710.tif 000007
【図６】
2006037710.tif 000008
【図７】
2006037710.tif 000009
【図８】
2006037710.tif 000010
【図９】
2006037710.tif 000011
【図１０】
2006037710.tif 000012
【図１１】
2006037710.tif 000013
【図１２】
2006037710.tif 000014
【図１３】
2006037710.tif 000015
【図１４】
2006037710.tif 000016
【図１５】
2006037710.tif 000017
【図１６】
2006037710.tif 000018
【図１７】
2006037710.tif 000019
【図１８】
2006037710.tif 000020
【図１９】
2006037710.tif 000021
【図２０】
2006037710.tif 000022